(57)【要約】【課題】マルチ画面で複数の番組を３Ｄ映像で表示すると、視聴者の目が疲れやすいという課題があった。【解決手段】３Ｄ映像表示装置は、複数のコンテンツがマルチ画面で表示されるマルチ画面表示手段を持つ。また、マルチ画面表示された複数のコンテンツから1つのコンテンツを指定可能に表示する指定表示手段を持つ。そして、マルチ画面から指定されたコンテンツを３Ｄ映像で、指定されないコンテンツを２Ｄ映像でマルチ画面表示する３Ｄ映像表示手段を備えるように構成している。【選択図】  図４
2011249859.tif 000002
【特許請求の範囲】
【請求項１】
３Ｄ映像表示可能な３Ｄ映像表示装置において、
複数のコンテンツがマルチ画面で表示されるマルチ画面表示手段と、
前記マルチ画面表示された複数のコンテンツから1つのコンテンツを指定可能に表示する指定表示手段と、
前記マルチ画面から指定されたコンテンツを３Ｄ映像で、指定されないコンテンツを２Ｄ映像でマルチ画面表示する３Ｄ映像表示手段を備える３Ｄ映像表示装置。
【請求項２】
２Ｄ映像を３Ｄ映像に変換する２Ｄ−３Ｄ変換手段をさらに備え、
前記指定されたコンテンツに係る映像信号を２Ｄから３Ｄに変換して３Ｄ映像表示する請求項１に記載の３Ｄ映像表示装置。
【請求項３】
複数の放送番組を同時に受信可能な放送受信手段をさらに備え、
前記マルチ画面で表示される複数のコンテンツは、同時に放送受信された２つ以上のコンテンツを表示可能である請求項１に記載の３Ｄ映像表示装置。
【請求項４】
前記コンテンツの指定が第1のコンテンツから第２のコンテンツに切り替わった場合、切り替わった第２のコンテンツを３Ｄ映像で、第1のコンテンツは２Ｄ映像でマルチ画面表示する請求項１に記載の３Ｄ映像表示装置。
【請求項５】
複数のコンテンツがマルチ画面で表示されるステップと、
前記マルチ画面表示された複数のコンテンツから1つのコンテンツを指定可能に表示するステップと、
前記マルチ画面から指定されたコンテンツを３Ｄ映像で、指定されないコンテンツを２Ｄ映像でマルチ画面表示するステップを備える３Ｄ映像表示方法。
【請求項６】
２Ｄ映像を３Ｄ映像に変換するステップをさらに備え、
前記指定されたコンテンツに係る映像信号を２Ｄから３Ｄに変換して３Ｄ映像表示する請求項５に記載の３Ｄ映像表示方法。
【請求項７】
複数の放送番組を同時に受信可能な放送受信手段をさらに備え、
前記マルチ画面で表示される複数のコンテンツは、同時に放送受信された２つ以上のコンテンツを表示可能である請求項５に記載の３Ｄ映像表示方法。
【請求項８】
前記コンテンツの指定が第1のコンテンツから第２のコンテンツに切り替わった場合、切り替わった第２のコンテンツを３Ｄ映像で、第1のコンテンツは２Ｄ映像でマルチ画面表示する請求項５に記載の３Ｄ映像表示方法。
【発明の詳細な説明】
【技術分野】
【０００１】
本発明の実施形態は、立体視（３次元または３Ｄ）映像を表示可能な、３Ｄ映像表示装置に関する。
【背景技術】
【０００２】
近年、ＴＶの性能向上により、複数の放送番組を並べて表示するマルチ画面表示ができるようになっている。
また、番組指定（選択）時に、複数の番組を同時に、１画面に表示して指定（選択）させたり、番組視聴時に、メイン番組の他に、画面を小さくして他の番組も１画面内に表示できるようになってきている。
【０００３】
また３Ｄ番組の放送が開始され、３Ｄ表示を行うＴＶも発売されている。
しかし、３Ｄ映像を視聴する場合、２Ｄ映像よりも目が疲れやすくなる傾向がある。このため、３Ｄ映画などでは長時間３Ｄ映像を見ても疲れないように、３Ｄ映像の作り方に工夫をしている。
【０００４】
しかし、１つ１つの番組は目が疲れないように工夫されても、複数の番組を３Ｄ映像で１画面に表示する、いわゆるマルチ画面で３Ｄ映像を表示すると、視聴者の目が混乱して疲れやすくなるという課題がある。
【先行技術文献】
【特許文献】
【０００５】
【特許文献１】特開2008-244835号公報
【発明の概要】
【発明が解決しようとする課題】
【０００６】
マルチ画面表示されている複数の番組の間で、表示の奥行きがバラバラになることから、視聴者の目を疲れさせることがある。
例えば、マルチ画面のある番組は歌番組で人物が手前に飛び出している場面が表示され、またマルチ画面の別の番組では風景の場面で山が後ろ側へ引き込んで表示される場合等は、表示の奥行きがバラバラになりやすい。
【０００７】
このような場合、視聴者の目の疲労が多くなる傾向がある。
このように、マルチ画面で複数の番組の３Ｄ映像を表示すると、視聴者の目が疲れやすいという課題があった。
【課題を解決するための手段】
【０００８】
実施形態によれば、３Ｄ映像表示装置は、複数のコンテンツがマルチ画面で表示されるマルチ画面表示手段を持つ。
また、マルチ画面表示された複数のコンテンツから1つのコンテンツを指定可能に表示する指定表示手段を持つ。
そして、マルチ画面から指定されたコンテンツを３Ｄ映像で、指定されないコンテンツを２Ｄ映像でマルチ画面表示する３Ｄ映像表示手段を備えるように構成している。
【図面の簡単な説明】
【０００９】
【図１】実施形態に係る３Ｄ映像表示装置の概略を説明する図。
【図２】実施形態に係る３Ｄ映像表示装置の構成を説明するブロック図。
【図３】実施形態に係る３Ｄ映像表示装置の映像出力部の構成の一例を説明するブロック図。
【図４】実施形態に係わる３Ｄ映像表示装置で表示される、複数のコンテンツがマルチ画面で表示される一例を示す図。
【図５】実施形態に係わる３Ｄ映像表示装置の、マルチ画面表示の動作を説明するフローチャート。
【発明を実施するための形態】
【００１０】
以下、図面を参照し、この発明の実施形態を説明する。
図１は、実施形態に係る３Ｄ映像表示装置の概略を説明する図である。
符号１１はデジタルテレビジョン放送受信装置、符号１２は立体視用眼鏡（３Ｄメガネ）、符号１３はキャビネット、符号１４は支持台、符号１５は液晶表示パネル、符号１６はスピーカ、符号１７は操作部、符号１７ａは主電源スイッチ、符号１８はリモートコントローラ、符号１９は受光部、符号２０は基台である。
【００１１】
デジタルテレビジョン放送受信装置１１は立体視映像（３Ｄまたは３次元）表示が可能である。ここでは、このデジタルテレビジョン放送受信装置１１の表示映像から立体視映像を認識するための立体視用眼鏡（３Ｄメガネ）１２を備えている。
【００１２】
ここでは、デジタルテレビジョン放送受信装置１１は、キャビネット１３と、このキャビネット１３を支持する支持台１４から構成されている。そして、キャビネット１３には、その正面中央部に、映像表示部としての液晶表示パネル１５が配置されている。また、このキャビネット１３には、その両側面にそれぞれスピーカ１６が配置され、ステレオ音声再生が行なえるように構成されている。
【００１３】
また、このキャビネット１３には、その正面下部に、主電源スイッチ１７ａを含む操作部１７と、リモートコントローラ１８から送信される操作情報を受信するための受光部１９が配置されている。
【００１４】
支持台１４は、キャビネット１３の底面中央部に回動自在に連結され、所定の基台２０の水平面上に載置された状態で、キャビネット１３を起立させて支持している。
【００１５】
上記デジタルテレビジョン放送受信装置１１は、立体視用映像を表示する場合、右目用映像信号と左目用映像信号を生成して、液晶表示パネル１５に、右目用映像と左目用映像を交互に映像表示する。
【００１６】
また、このデジタルテレビジョン放送受信装置１１は、右目用映像を映像表示している期間と、左目用映像を映像表示している期間とをそれぞれ示すシャッタ制御信号ＳＣを生成し、立体視用眼鏡１２に出力する。
【００１７】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像を認識させている。
【００１８】
また、上記立体視用眼鏡１２は、ユーザが装着しているか否か、つまり、ユーザが眼鏡を掛けているか外しているかを検出するための着脱検出部２１を備えている。そして、この着脱検出部２１から出力される着脱検出信号ＣＤは、デジタルテレビジョン放送受信装置１１に供給される。
【００１９】
このデジタルテレビジョン放送受信装置１１は、ユーザが立体視用眼鏡１２を装着している旨を示す着脱検出信号ＣＤが供給されたとき、液晶表示パネル１５に右目用映像と左目用映像を交互に映像表示して、立体視映像表示を実行する。
【００２０】
図２は、実施形態に係る３Ｄ映像表示装置の構成を説明するブロック図である。
符号２１は着脱検出部、符号２２はアンテナ、符号２３は入力端子、符号２４は選局復調部、符号２５はＴＳ分離部、符号２６は映像デコーダ、符号２７は映像フレームバッファ、符号２８は映像出力部、符号２９は音声バッファ、符号３０は音声出力部、符号３１は音声デコーダ、符号３２は入力端子である。
【００２１】
符号３３は制御部、符号３３ａはＣＰＵ、符号３３ｂはメモリ部、符号３４はＨＤＤ、符号３４ａはハードディスク、符号３５はネットワークインターフェース、符号３６は入出力端子である。
【００２２】
アンテナ２２で受信されたデジタルテレビジョン放送信号は、入力端子２３を介して選局復調部２４に供給される。この選局復調部２４は、入力されたデジタルテレビジョン放送信号から所望のチャンネルの信号を選局し、その選局した放送信号に復調処理を施してＴＳ（transport stream）を生成して出力する。
【００２３】
選局復調部２４から出力されたＴＳは、ＴＳ分離部２５に供給されて、映像成分と音声成分とに分離される。このうち、映像成分は、映像デコーダ２６によりデコード処理が施されて元のデジタルの映像信号に復元された後、映像フレームバッファ２７に格納される。
【００２４】
この映像フレームバッファ２７に格納された映像信号は、フレーム単位で映像出力部２８に読み出され、所定の信号処理が施された後、上記液晶表示パネル１５に供給されて映像表示に供される。
【００２５】
また、ＴＳ分離部２５で分離された音声成分は、音声バッファ２９に格納された後、音声出力部３０に読み出されて、所定の信号処理が施される。そして、音声出力部３０から出力された音声成分は、音声デコーダ３１によりデコード処理が施されて、デジタルの音声データに復元された後、アナログ化されてスピーカ１６により音声が再生される。
【００２６】
また、このデジタルテレビジョン放送受信装置１１は、入力端子３２を備えている。この入力端子３２には、例えばＤＶＤ（digital versatile disk）等の光ディスクに対して記録再生を行なう光ディスク記録再生機器や外付けＨＤＤ（hard disk drive）等のような、外部の記録再生機器から出力されるＴＳが供給されるようになっている。
【００２７】
入力端子３２に入力されたＴＳは、ＴＳ分離部２５に供給される。そして、ＴＳ分離部２５は、選局復調部２４から供給されるＴＳと入力端子３２から供給されるＴＳのいずれか一方を選択して、映像成分と音声成分とに分離するように動作する。
【００２８】
ここで、このデジタルテレビジョン放送受信装置１１は、上記した各種の受信動作を含む種々の動作を、制御部３３によって制御される。
制御部３３は、ＣＰＵ（central processing unit）３３ａを内蔵し、操作部１７からの操作情報やリモートコントローラ１８から送信され、受光部１９で受信された操作情報を受け、その操作内容が反映されるように各部を制御する。
【００２９】
制御部３３は、メモリ部３３ｂを利用する。このメモリ部３３ｂは、ＣＰＵ３３ａが実行する制御プログラムを格納したＲＯＭ（read only memory）と、ＣＰＵ３３ａに作業エリアを提供するためのＲＡＭ（random access memory）と、各種の設定情報及び制御情報等が格納される不揮発性メモリとを有している。
【００３０】
また、制御部３３は、内蔵型のＨＤＤ３４に接続されている。この制御部３３は、ユーザによる操作に基づいて、映像デコーダ２６や音声デコーダ３１から得られるデジタルの映像信号や音声信号等に、暗号化処理や所定の記録フォーマットへの変換処理を施した後、ＨＤＤ３４に供給してハードディスク３４ａに記録させることができる。
【００３１】
また、制御部３３は、ユーザによる操作に基づいて、ＨＤＤ３４によりハードディスク３４ａから所望の映像信号や音声信号等を読み出させ、暗号の解読処理を施した後、映像フレームバッファ２７や音声デコーダ３１に供給することにより、映像表示や音声再生に供させることができる。
【００３２】
さらに、制御部３３は、ネットワークインターフェース３５及び入出力端子３６を介して、例えばインターネット等のネットワークに接続されている。
これにより、制御部３３は、ユーザによる操作に基づいて、ネットワーク上のサーバにアクセスして所望の映像信号や音声信号等を取得し、映像表示や音声再生に供させたり、ＨＤＤ３４のハードディスク３４ａに記録させたりすることができる。
【００３３】
映像出力部２８は、映像フレームバッファ２７からフレーム単位で供給された映像信号が通常の２次元表示用の映像信号である場合には、その映像信号に対して液晶表示パネル１５で表示可能なフレーム倍速変換処理を施した後、液晶表示パネル１５に供給して映像表示させる。
【００３４】
映像出力部２８は、映像フレームバッファ２７からフレーム単位で供給された映像信号が、立体視用の映像信号である場合には、その映像信号から右目用映像信号と左目用映像信号とをそれぞれ生成し、それらの映像信号を交互に液晶表示パネル１５に出力して映像表示に供させる。
【００３５】
このとき、映像出力部２８は、右目用映像を映像表示している期間と、左目用映像を映像表示している期間とをそれぞれ示すシャッタ制御信号ＳＣを生成し、出力端子３７を介して立体視用眼鏡１２に出力する。
【００３６】
立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザに立体視映像が認識される。
【００３７】
なお、上記映像フレームバッファ２７からフレーム単位で供給される映像信号が、通常の２次元表示用の映像信号であるか、立体使用の映像信号であるかの判断は、例えば、制御部３３が、映像表示の対象となる映像信号に付された属性情報を検知することにより、行なうことができる。
【００３８】
また、立体視用眼鏡１２は、ユーザが装着しているか否かを検出するための、着脱検出部２１を備えている。この着脱検出部２１としては、例えば、圧力の有無によってユーザが装着しているか否かを検出するもの、発光した赤外線が液晶表示パネル１５面で反射されて受光されたか否かによってユーザが装着しているか否かを検出するもの、傾きによってユーザが装着しているか否かを検出するもの等々、種々の手法によるものが考えられる。
【００３９】
そして、この着脱検出部２１は、無線により着脱検出信号ＣＤを送信しており、送信された着脱検出信号ＣＤは映像出力部２８に受信される。
この映像出力部２８は、映像フレームバッファ２７から供給された映像信号が立体視用の映像信号であって、ユーザが立体視用眼鏡１２を装着している旨を示す着脱検出信号ＣＤが供給されているときには、その映像信号から右目用映像信号と左目用映像信号とをそれぞれ生成し、それらの映像信号を交互に液晶表示パネル１５に映像表示させて立体視映像表示を実行する。
【００４０】
また、この映像出力部２８は、ユーザが立体視用眼鏡１２を装着していない旨を示す着脱検出信号ＣＤが供給されたとき、受信した立体視用の映像信号を通常の２次元表示用の映像信号に変換し、その２次元表示用の映像信号に対して液晶表示パネル１５で表示可能なフレーム倍速変換処理を施した後、液晶表示パネル１５に供給して映像表示させる。
【００４１】
図３は、実施形態に係る３Ｄ映像表示装置の映像出力部の構成の一例を説明するブロック図である。
符号３８は入力端子、符号３９は３次元２次元（３Ｄ−２Ｄ）変換部、符号４０は左右映像分離部、符号４１は倍速変換部、符号４２はセレクタ、符号４３は左右クロストーク防止部、符号４４は選択信号生成部、符号４５は映像出力処理部、符号４６は出力端子、符号４７は出力端子、符号４８は受信部、符号４９は解析部である。
【００４２】
ここでは、上記映像出力部２８の構成の一例を示している。
上記のように、映像フレームバッファ２７から供給された映像信号は、入力端子３８を介して、３次元２次元（３Ｄ−２Ｄ）変換部３９及び左右映像分離部４０に供給される。
【００４３】
３次元２次元変換部３９は、２次元（２Ｄ）表示用の映像信号が入力されたとき、その映像信号を後段の倍速変換部４１に出力する。
また、３次元２次元変換部３９は、立体視用の映像信号が入力されたとき、その映像信号を２次元表示用の映像信号に変換して倍速変換部４１に出力する。
倍速変換部４１は、入力された２次元表示用の映像信号に対して、例えばフレーム間の動きベクトルを利用した補間フレームを作成する等の手法により、液晶表示パネル１５で表示可能なフレーム倍速変換処理を施し、セレクタ４２の入力端に出力する。
【００４４】
また、左右映像分離部４０は、立体視用の映像信号が入力されたとき、その映像信号を右目用映像信号と左目用映像信号とに分離し、それらの映像信号を倍速で交互に左右クロストーク防止部４３に出力する。
【００４５】
この左右クロストーク防止部４３は、交互に入力される右目用映像信号と左目用映像信号との間に黒映像信号を挿入して、右目用映像と左目用映像との切り替わり時の干渉（クロストーク）を防止する処理を施した後、セレクタ４２の入力端に出力する。
【００４６】
セレクタ４２は、倍速変換部４１及び、左右クロストーク防止部４３から供給される映像信号を、選択信号生成部４４から出力される選択信号に基づいて選択し、その選択した映像信号を映像出力処理部４５に出力する。
【００４７】
映像出力処理部４５は、入力された映像信号に対して、上記液晶表示パネル１５での映像表示に供させるための信号処理を施し、出力端子４６を介して液晶表示パネル１５に出力する。
【００４８】
また、映像出力処理部４５は、入力された映像信号が立体視用の映像信号である場合に、右目用映像を映像表示している期間と、左目用映像を映像表示している期間とを示すシャッタ制御信号ＳＣを生成し、出力端子４７を介して上記立体視用眼鏡１２に出力する。
【００４９】
立体視用眼鏡１２は、映像出力処理部４５から供給されるシャッタ制御信号ＳＣに基づいて、右目用映像の表示時に左目のシャッタを閉じ、左目用映像の表示時に右目のシャッタを閉じるように制御される。これにより、ユーザに立体視映像が認識される。
【００５０】
また、立体視用眼鏡１２が備えられた着脱検出部２１から、無線により出力される着脱検出信号ＣＤは、映像出力部２８内の受信部４８に受信される。
受信部４８で受信された着脱検出信号ＣＤは、解析部４９に供給され、ユーザが立体視用眼鏡１２を装着しているか否かが判断される。
解析部４９は、ユーザが立体視用眼鏡１２を装着していると判断した場合は、選択信号生成部４４に対して、左右クロストーク防止部４３から出力される映像信号を映像信号処理部４５に導くように、セレクタ４２を切り替える選択信号を発生させる。
【００５１】
また、解析部４９は、ユーザが立体視用眼鏡１２を装着していないと判断した場合は、選択信号生成部４４に対して、倍速変換部４１から出力される映像信号を映像信号処理部４５に導くように、セレクタ４２を切り替える選択信号を発生させる。
【００５２】
上記映像出力部２８においては、立体視用の映像信号を液晶表示パネル１５での映像表示に供させている状態で、ユーザが立体視用眼鏡１２を外すと、自動的に立体視用の映像信号を２次元表示用に変換した映像信号が液晶表示パネル１５での映像表示に供される。
【００５３】
また、ユーザが立体視用眼鏡１２を装着すると、自動的に立体視用の映像信号が液晶表示パネル１５での映像表示に供され、ユーザが立体視映像を認識することができるようになる。
【００５４】
図４は、実施形態に係わる３Ｄ映像表示装置で表示される、複数のコンテンツがマルチ画面で表示される一例を示す図である。
この３Ｄ映像表示装置は、ＨＤＤ３４や図示しない外部記憶装置に、録画を行うことが可能である。
選局復調部２４は複数のチューナを構成し、複数のチャンネルの放送を受信可能に構成される。
また、ＨＤＤ３４や外部記憶装置は、タイムシフト用と通常録画用のHDDを備え、タイムシフト用HDDには、例えば、過去約26時間分の番組を最大8チャンネル分一時保管、すなわち、26時間8チャンネルを“丸録り“することが可能である。
【００５５】
３Ｄ映像表示装置は、選局復調部２４で受信された複数のチャンネルの放送番組（コンテンツ）や、丸録りされた複数の番組（コンテンツ）を、図４に示すようにマルチ画面で表示可能である。
【００５６】
ここでは、複数のコンテンツ（番組１、番組２、番組３、番組４、番組５、番組６、番組７、番組８、番組９）がＴＶ画面１０にマルチ画面で表示される。
またＴＶ画面１０にマルチ画面表示された複数のコンテンツから１つのコンテンツが指定可能に表示される。
図に示すように、ここでは、番組５に係るコンテンツが他のコンテンツとは識別可能に表示され、指定可能に表示される。
例えば、ユーザは番組５を視聴や記録等する場合は、この状態で図示しない指定ボタンを操作することで、番組５が選択され、視聴や記録が行われる。
このとき、マルチ画面から指定されたコンテンツ（ここでは番組５）は３Ｄ映像で表示される。
また、指定されないコンテンツ（番組１、番組２、番組３、番組４、番組６、番組７、番組８、番組９）は、２Ｄ映像で表示される。
すなわち、複数の番組が表示されているマルチ画面から番組を指定する場合、指定されている番組（ここでは番組５）を3D（３次元）で、指定されていない番組（ここでは番組１、番組２、番組３、番組４、番組６、番組７、番組８、番組９）は2D（２次元）で、マルチ画面で表示する。
【００５７】
また、実施の形態に係る３Ｄ映像表示装置は、２Ｄ映像を３Ｄ映像に変換する２Ｄ−３Ｄ変換部を備えており、指定されたコンテンツに係る映像信号を、２Ｄから３Ｄに変換して３Ｄ映像表示することが可能である。
【００５８】
また、実施の形態に係る３Ｄ映像表示装置は、複数の放送番組を同時に受信可能な選局復調部２４を備えており、同時に放送受信された２つ以上のコンテンツを並べて表示可能である。
【００５９】
また、丸録りやＰＶＲ録画で録画されたコンテンツと放送受信されたコンテンツを適宜組合せ、マルチ画面表示することも可能である。
また、ユーザがリモコン１８等を操作し、指定（選択）されているコンテンツ（番組）が番組５から番組６に変わった場合、番組５は２Ｄ表示に、番組６は３Ｄ表示に切り替わる。
【００６０】
すなわち、マルチ画面からのコンテンツの指定が、番組５→番組６、番組６→番組２、番組２→番組３等のように、第1のコンテンツから第２のコンテンツに切り替わった場合、切り替わった第２のコンテンツを３Ｄ映像で、元の第1のコンテンツは２Ｄ映像で、マルチ画面表示する。
【００６１】
また、指定された番組が3Dで表示されている時に、立体感を強調するために3Dの奥行き情報を拡大して表示することも可能である。
上記のように構成することによって、この実施の形態においては、ユーザの目の疲れを低減することが可能となる。
また、２Ｄ−３Ｄ変換処理を行うことは、３Ｄ映像表示装置にとって大きな負荷であるが、この実施の形態においては、指定されたコンテンツについて、２Ｄ−３Ｄ変換処理を行うように構成している。このため、複数のコンテンツについて、同時に２Ｄ−３Ｄ変換処理を行う必要がないため、３Ｄ映像表示装置の負担を軽減することが可能となる。
【００６２】
また、指定（選択）されているコンテンツ（番組）を３Ｄ表示とすることで、指定されているコンテンツ（番組）を、ユーザに対して目立たせることも可能である。
図５は、実施形態に係わる３Ｄ映像表示装置の、マルチ画面表示の動作を説明するフローチャートである。
ここでの動作は、主に制御部３３の指示で動作する。
符号Ｓ１００は、ここでの開始ステップである。続いて、符合S１０１を付したステップへ進む。
符号S１０１は、３Ｄ映像表示装置に複数番組表示（マルチ画面）が指示されているか否かを判断するステップである。複数番組表示（マルチ画面）が指示されていると判断される場合は、符合S１０３を付したステップへ進む（Ｙｅｓ）。複数番組表示（マルチ画面）が指示されていると判断されない場合は、符合S１０２を付したステップへ進む（Ｎｏ）。
【００６３】
符号S１０２は、複数番組表示（マルチ画面）が指示されていれない場合に、３Ｄ表示の指示がオンか否かを判断するステップである。３Ｄ表示の指示がオンと判断される場合は、符合S１０５を付したステップへ進む（Ｙｅｓ）。３Ｄ表示の指示がオンと判断されない場合は、符合S１０４を付したステップへ進む（Ｎｏ）。
【００６４】
符号S１０４は、マルチ画面表示される複数のコンテンツの中の１つのコンテンツ（１番組）を２Ｄ表示するために、２Ｄ表示用映像を１番組分作成するステップである。続いて、符合S１１０を付したステップへ進む。
【００６５】
符号S１０５は、マルチ画面表示される複数のコンテンツの中から指定された１つのコンテンツ（１番組）を３Ｄ表示するために、指定された１つのコンテンツについて３Ｄ表示用映像を１番組分作成するステップである。続いて、符合S１１０を付したステップへ進む。
【００６６】
符号S１０３は、複数番組表示（マルチ画面）が指示されている場合に、３Ｄ表示の指示がオンであるか否かを判断するステップである。３Ｄ表示の指示がオンであると判断される場合は、符合S１０７を付したステップへ進む（Ｙｅｓ）。３Ｄ表示の指示がオンであると判断されない場合は、符合S１０６を付したステップへ進む（Ｎｏ）。
【００６７】
符号S１０６は、３Ｄ表示がオン指示でない場合に、複数番組（Ｎ個）を２Ｄ表示するため、２Ｄ表示用映像を複数番組（Ｎ個）分作成するステップである。続いて、符合S１０９を付したステップへ進む。
【００６８】
符号S１０７は、３Ｄ表示がオン指示の場合に、指定されているコンテンツ（番組）の３Ｄ表示用映像を作成するステップである。続いて、符合S１０８を付したステップへ進む。
【００６９】
符号S１０８は、３Ｄ表示がオン指示の場合に、指定（選択）されていないコンテンツ（番組）の２Ｄ表示用映像を作成するステップである。続いて、符合S１０９を付したステップへ進む。
【００７０】
符号S１０９は、複数番組（コンテンツ）をマルチ画面表示（ＴＶの１画面に表示する）ため、S１０６、Ｓ１０７、Ｓ１０８で作成されたＮ個の複数番組の映像をマルチ画面にマージして、映像表示装置に向けて出力するステップである。続いて、符合S１１０を付したステップへ進む。
【００７１】
符号S１１０は、上記Ｎ個の複数番組の映像で作成され、出力されたマルチ画面を、表示装置に表示するステップである。続いて、符合S１１１を付したステップへ進む。
【００７２】
符号S１１１は、上記表示が終了指示されたか否かを判断するステップである。表示終了が指示されたと判断された場合は、符合S１１２を付したステップへ進む（Ｙｅｓ）。表示終了が指示されたと判断されない場合は、符合S１０１を付したステップへ進み、上記処理が繰り返される（Ｎｏ）。
【００７３】
符号S１１２は、終了ステップであり、ここでの処理は終了する。
上記のように構成することによって、この実施の形態においては、マルチ画面で複数の番組の３Ｄ映像を表示すると、視聴者の目が疲れやすいという問題を低減することが可能となる。
【００７４】
なお、上記実施形態は、記述そのものに限定されるものではなく、実施段階では、その趣旨を逸脱しない範囲で、構成要素を種々変形して具体化することが可能である。
【符号の説明】
【００７５】
１０…テレビ画面、１１…デジタルテレビジョン放送受信装置、１２…立体視用眼鏡、１３…キャビネット、１４…支持台、１５…液晶表示パネル、１６…スピーカ、１７…操作部、１７ａ…主電源スイッチ、１８…リモートコントローラ、１９…受光部、２０…基台、２１…着脱検出部、２２…アンテナ、２３…入力端子、２４…選局復調部、２５…ＴＳ分離部、２６…映像デコーダ、２７…映像フレームバッファ、２８…映像出力部、２９…音声バッファ、３０…音声出力部、３１…音声デコーダ、３２…入力端子、３３…制御部、３３ａ…ＣＰＵ、３３ｂ…メモリ部、３４…ＨＤＤ、３４ａ…ハードディスク、３５…ネットワークインターフェース、３６…入出力端子、３８…入力端子、３９…３次元２次元（３Ｄ−２Ｄ）変換部、４０…左右映像分離部、４１…倍速変換部、４２…セレクタ、４３…左右クロストーク防止部、４４…選択信号生成部、４５…映像出力処理部、４６…出力端子、４７…出力端子、４８…受信部、４９…解析部。
【図１】
2011249859.tif 000003
【図２】
2011249859.tif 000004
【図３】
2011249859.tif 000005
【図４】
2011249859.tif 000006
【図５】
2011249859.tif 000007
【手続補正書】
【提出日】平成22年5月31日(2010.5.31)
【手続補正１】
【補正対象書類名】図面
【補正対象項目名】全図
【補正方法】変更
【補正の内容】
【図１】
2011249859.tif 000008
【図２】
2011249859.tif 000009
【図３】
2011249859.tif 000010
【図４】
2011249859.tif 000011
【図５】
2011249859.tif 000012